(57)【要約】【課題】被処理物の充填率が高く、しかも長時間熱処理可能なロータリーキルンを提供する。【解決手段】後部に被処理物１９を投入する投入口２４が設けられるとともに前部に被処理物１９を排出する排出口２３が設けられ、後部の高さが前部の高さよりも高くなるように傾けて配置されて、内部で被処理物１９に対して熱処理を施す円筒状の筒体３と、筒体３の円筒軸を回転軸として筒体３を正回転及び逆回転可能な回転手段１３と、を備えるロータリーキルン２００において、筒体３の内面から筒体３の内半径未満の径方向高さで螺旋状に立設されその螺旋が１巻き以上形成されてなる第一内接スクリュー４と、筒体３の内面から第一内接スクリュー４と略等しい径方向高さで立設され、第一内接スクリュー４の前部と第一内接スクリュー４の前部から略一巻き分後方の部位との間に形成されてなる溝６を閉じるストッパー５と、を有する閉スクリュー４０を備える。【選択図】図２
2016121852.tif 000002
【特許請求の範囲】
【請求項１】
後部に被処理物を投入する投入口が設けられるとともに前部に前記被処理物を排出する排出口が設けられ、前記後部の高さが前記前部の高さよりも高くなるように傾けて配置されて、内部で前記被処理物に対して熱処理を施す円筒状の筒体と、
前記筒体の円筒軸を回転軸として前記筒体を正回転及び逆回転可能な回転手段と、を備えるロータリーキルンにおいて、
前記筒体の内面から前記筒体の内半径未満の径方向高さで螺旋状に立設されその螺旋が１巻き以上形成されてなる第一内接スクリューと、
前記筒体の内面から前記第一内接スクリューと略等しい径方向高さで立設され、前記第一内接スクリューの前部と前記第一内接スクリューの前部から略一巻き分後方の部位との間に形成されてなる溝を閉じるストッパーと、を有する閉スクリューを備えることを特徴とするロータリーキルン。
【請求項２】
前記第一内接スクリューの巻き数が１巻き以上１．６巻き以下であることを特徴とするロータリーキルン。
【請求項３】
前記閉スクリューが前後方向に間をおいて多段状に設けられ、前記複数の閉スクリューの第一内接スクリューの巻き方向が全て同じ方向であることを特徴とする請求項１又は２に記載のロータリーキルン。
【請求項４】
前記筒体の内面から前記筒体の内半径未満の径方向高さで螺旋状に立設されその螺旋が１巻き以上形成されてなる、前記第一内接スクリューとは逆巻きの第二内接スクリューであって、前記ストッパーは有しない開スクリューをさらに備え、
前記閉スクリューと前記開スクリューとを前後方向に交互に配置したことを特徴とする請求項１又は２に記載のロータリーキルン。
【請求項５】
前記ストッパーの前端は前記第一内接スクリューの前端に接するとともに、前記ストッパーと前記第一内接スクリューの前部のなす角が鈍角であることを特徴とする請求項１乃至４のうちいずれか一つに記載のロータリーキルン。
【発明の詳細な説明】
【技術分野】
【０００１】
本発明は、回転可能な筒体の内部で被処理物に対して熱処理を施すロータリーキルンに関するものである。
【背景技術】
【０００２】
粉粒体等の被処理物に対して、加熱、乾燥、焼成、燃焼等の熱処理を施すためにロータリーキルンが広く用いられている。
ロータリーキルンは、回転する筒体の後端の高さが前端の高さよりも高くなるように傾けて配置されており、筒体の回転に伴い被処理物が後方から前方にゆっくりと移送されて、その間、被処理物には熱処理が施される。
【０００３】
このようなロータリーキルンにおいて、被処理物を均一に加熱するためには単位時間における回転数を大きくして被処理物の運動量を大きくしなければならないが、回転数を大きくすると被処理物の前方への移動速度も速くなってしまい、ロータリーキルン内での滞留時間が短くなってしまう。
つまり、被処理物によっては処理時間を多く取らなければならないものがあるが、均一に加熱するために被処理物の運動量を大きくすると、その処理時間を長く取れない。
【０００４】
そこで、被処理物の撹拌量を大きくするために、図１０に示すような筒体３の内面からかき上げ板７を立設したロータリーキルン１００が開示されている（例えば、特許文献１参照）。
【先行技術文献】
【特許文献】
【０００５】
【特許文献１】特開２０１４−１８１８５６号公報
【０００６】
この発明では、筒体３の内面を四等分するようにかき上げ板７が立設されているので、筒体３が回転するたびにかき上げ板７で被処理物が撹拌され、均一に加熱される。そして、被処理物の運動量を上げるために筒体３の回転数を上げる必要がないので、処理時間を長く取ることができる。
【発明の概要】
【発明が解決しようとする課題】
【０００７】
しかしながら、通常のロータリーキルン１００は被処理物の充填率が１５〜２０％と低いので、十分な容量を確保するためには筒体３を大型化しなければならない。
また、さらに長い処理時間が必要な熱処理の場合、バッチ式の熱処理炉でないと対応できないという問題もある。
【０００８】
そこで、本発明の目的とするところは、被処理物の充填率が高く、しかも長時間熱処理可能なロータリーキルンを提供することにある。
【課題を解決するための手段】
【０００９】
上記の目的を達成するために、本発明の請求項１に記載のロータリーキルン（２００）は、後部に被処理物（１９）を投入する投入口（２４）が設けられるとともに前部に前記被処理物（１９）を排出する排出口（２３）が設けられ、前記後部の高さが前記前部の高さよりも高くなるように傾けて配置されて、内部で前記被処理物（１９）に対して熱処理を施す円筒状の筒体（３）と、前記筒体（３）の円筒軸を回転軸として前記筒体（３）を正回転及び逆回転可能な回転手段（１３）と、を備えるロータリーキルン（２００）において、前記筒体（３）の内面から前記筒体（３）の内半径未満の径方向高さで螺旋状に立設されその螺旋が１巻き以上形成されてなる第一内接スクリュー（４）と、前記筒体（３）の内面から前記第一内接スクリュー（４）と略等しい径方向高さで立設され、前記第一内接スクリュー（４）の前部と前記第一内接スクリュー（４）の前部から略一巻き分後方の部位との間に形成されてなる溝（６）を閉じるストッパー（５）と、を有する閉スクリュー（４０）を備えることを特徴とする。
【００１０】
また、請求項２に記載のロータリーキルン（２００）は、前記第一内接スクリュー（４）の巻き数が１巻き以上１．６巻き以下であることを特徴とする。
【００１１】
また、請求項３に記載のロータリーキルン（２００）は、前記閉スクリュー（４０）が前後方向に間をおいて多段状に設けられ、前記複数の閉スクリュー（４０）の第一内接スクリュー（４）の巻き方向が全て同じ方向であることを特徴とする。
【００１２】
また、請求項４に記載のロータリーキルン（２００）は、前記筒体（３）の内面から前記筒体（３）の内半径未満の径方向高さで螺旋状に立設されその螺旋が１巻き以上形成されてなる、前記第一内接スクリュー（４）とは逆巻きの第二内接スクリューであって、前記ストッパー（５）は有しない開スクリュー（５０）をさらに備え、前記閉スクリュー（４０）と前記開スクリュー（５０）とを前後方向に交互に配置したことを特徴とする。
【００１３】
また、請求項５に記載のロータリーキルン（２００）は、前記ストッパー（５）の前端は前記第一内接スクリュー（４）の前端に接するとともに、前記ストッパー（５）と前記第一内接スクリュー（４）の前部のなす角が鈍角であることを特徴とする。
【００１４】
ここで、上記括弧内の記号は、図面および後述する発明を実施するための形態に掲載された対応要素または対応事項を示す。
【発明の効果】
【００１５】
本発明の請求項１に記載のロータリーキルンによれば、１巻き以上の第一内接スクリューとストッパーとを有する閉スクリューを備えるので、第一内接スクリューで被処理物が堰止められ、閉スクリューが無い場合と比べて被処理物の充填率が高くなる。よって、装置全体がコンパクトになるので、余分なスペースを取らないだけでなく経済的でもある。
また、ストッパーは、筒体の内面から第一内接スクリューと略等しい径方向高さで立設され、第一内接スクリューの前部と第一内接スクリューの前部から略一巻き分後方の部位との間に形成されてなる溝を閉じるので、回転手段によって筒体を、被処理物を排出する正回転とは逆の逆回転としたときに、閉スクリューの前方にある被処理物がストッパーにより堰止められ逆流しない。よって、処理時間を任意に設定可能であって、長時間熱処理が必要な場合は筒体を回転手段によって逆回転させることで熱処理を続けて行うことができる。
また、閉スクリューの前端に溜まった被処理物が筒体の正回転によってかき上げられ撹拌されるので、被処理物を均一に熱処理することができる。
【００１６】
また、請求項２に記載のロータリーキルンによれば、請求項１に記載の発明の作用効果に加え、第一内接スクリューの巻き数が１．６巻き以下であるので、筒体の容積に無駄が少なくなる。すわなち、筒体を逆回転させたときには閉スクリューの溝から被処理物が後方に排出されて被処理物が溝内にほとんど無くなり、閉スクリュー内では熱処理を行えないので、そのスペースは無駄となるが、第一内接スクリューの巻き数を１．６巻き以下と少なくすることで、その無駄なスペースが最低限で済む。
【００１７】
また、請求項３に記載のロータリーキルンによれば、請求項１又は２に記載の発明の作用効果に加え、閉スクリューが前後方向に間をおいて多段状に設けられるので、被処理物に対する撹拌効果が大きく、また堰止めることができる被処理物の量が増えて被処理物の充填率が高くなる。
また、複数の閉スクリューの第一内接スクリューの巻き方向が全て同じ方向であるので、筒体の回転方向の違いによる被処理物の排出及び滞留が、閉スクリューで分けられた全ての部屋において一致する。
【００１８】
また、請求項４に記載のロータリーキルンによれば、請求項１又は２に記載の発明の作用効果に加え、筒体の内面から筒体の内半径未満の径方向高さで螺旋状に立設されその螺旋が１巻き以上形成されてなる、第一内接スクリューとは逆巻きの第二内接スクリューであって、ストッパーは有しない開スクリューをさらに備え、閉スクリューと開スクリューとを前後方向に交互に配置したので、閉スクリューと開スクリューで分けられた隣り合う部屋において被処理物の排出と滞留が逆となる。つまり、隣り合う部屋で被処理物同士が混ざり合わないので、精度の高い厳密な熱処理が可能である。
【００１９】
また、請求項５に記載のロータリーキルンによれば、請求項１乃至４に記載の発明の作用効果に加え、ストッパーの前端は第一内接スクリューの前端に接するとともに、ストッパーと第一内接スクリューの前部のなす角が鈍角であるので、回転手段において筒体を逆回転させたときに、被処理物が閉スクリューの溝に入り込むことなく、全て堰止めることができる。
【００２０】
なお、本発明のロータリーキルンのように、第一内接スクリューとストッパーを有する閉スクリューを備える点は、上述した特許文献１には全く記載されていない。
【図面の簡単な説明】
【００２１】
【図１】本発明の第一実施形態に係るロータリーキルンを示す側面断面図である。
【図２】図１に示すロータリーキルンにおける筒体を示す模式拡大斜視図である。
【図３】本発明の第一実施形態に係るロータリーキルンを示す平面断面図である。
【図４】図１におけるＡ−Ａ線正面図である。
【図５】図１におけるＢ−Ｂ線断面図である。
【図６】図１におけるＣ−Ｃ線断面図である。
【図７】本発明の第二実施形態に係るロータリーキルンを示す側面断面図である。
【図８】図７に示すロータリーキルンにおける筒体を示す模式斜視図である。
【図９】本発明の第二実施形態に係るロータリーキルンを示す正面断面図である。
【図１０】従来例に係るロータリーキルンを示す断面図である。
【発明を実施するための形態】
【００２２】
（第一実施形態）
図１乃至図６を参照して、本発明の第一実施形態に係るロータリーキルン２００を説明する。
このロータリーキルン２００は、筒体３と、回転手段１３と、閉スクリュー４０と、を備え、特に閉スクリュー４０を特徴とする。
本実施形態に係るロータリーキルン２００は、化学品粉粒体の反応促進用加熱、乾燥、セラミック品粉粒体の焼成、乾燥、その他有機物粉粒体の乾留、金属小物、玉などの熱処理用の連続又は半連続キルンであって、あまり精密さを要しない被処理物１９の加熱、乾燥に用いられる。
なお、従来例で示したものと同一部分には同一符号を付した。
【００２３】
炉本体２は、円筒状で鋼板１の内面に耐火物を施工してなり、下端内壁に熱源である電熱ヒーター２０を備え、脚部によって所定の高さにおいて支持されている。
【００２４】
筒体３は、耐熱金属からなる円筒状のもので、筒体３の前後方向の長さは炉本体２の前後方向の長さよりも長く、筒体３が炉本体２に貫通して配置された状態において筒体３の前部及び後部は炉本体２に覆われずに露出している（炉本体２から突出している）。
筒体３の前部及び後部であって炉本体２に筒体３が挿入されたときに炉本体２から突出した部位の外周には、それぞれタイヤ８が取付けられている。また、後方のタイヤ８のさらに後方である筒体３の後端外周には一枚の回転スプロケット９を備える。
【００２５】
また、前方のタイヤ８は架台１６の上に設けたピローブロック２２で支持される受けローラー２１の４セットの上に乗せられるとともに、後方のタイヤ８はフランジユニット１８に支持された二つのストッパーローラー１７に挟まれて、筒体３が軸回転自在に支持される。
そして、筒体３を含む装置全体が載置された架台１６を水平据え付け面１５に対して前方が低くなるようにある角度を付けて据え付けることで、筒体３の後端の高さが筒体３の前端の高さよりも高くなるように傾けて配置されている。
【００２６】
また、筒体３の後部内部には防熱壁２９が筒体３の軸とは垂直に設けられ、防熱壁２９の中央に設けられた孔が被処理物１９を筒体３内部に投入するための投入口２４となっている。この投入口２４から、サポート１４で支持されたスクリューフィーダー１１を介して被処理物１９が投入される。
また、筒体３の前部には被処理物１９を排出する排出口２３が設けられ、筒体３の回転に伴って被処理物１９が排出口２３から落下する。
また、防熱壁２９と後述する四つの閉スクリュー４０によって、筒体３の内部は四つの加熱室２５，２６，２７，２８に分けられている。これらの加熱室２５，２６，２７，２８にはそれぞれ筒体３の内面から複数のかき上げ板７が立設されている。
そして、炉本体２に取付けられた電熱ヒーター２０によって筒体３が外部から加熱されることで、筒体３内部で被処理物１９に対して熱処理を施す。
【００２７】
回転手段１３は、架台１６に固定した減速機１３であって、減速機１３の作動に伴って回転する駆動スプロケット１０を有する。
この駆動スプロケット１０は、ローラーチェーン１２を介して筒体３の回転スプロケット９と連結される。
このように、減速機１３は筒体３の円筒軸を回転軸として筒体３を正回転及び逆回転可能である。
【００２８】
閉スクリュー４０は、第一内接スクリュー４とストッパー５からなる。
第一内接スクリュー４は、筒体３の内面から螺旋状に立設され、その螺旋が略１．５巻き（１．４〜１．６巻きが好ましい）形成されてなる。立設したその高さは筒体３の内半径の１／２〜２／３の径方向高さであり、前方又は後方から見ると、図５や図６に示すように筒体３の中心軸周りに孔３０が形成されたようになっている。その孔３０であるスクリュー口３０は、直径の大きなタイプのロータリーキルン２００においてはメンテナンス性を考慮して人間が通過可能な大きさであることが好ましい。別の言い方をすれば、第一内接スクリュー４はネジ山の高い雌ネジ状である。
ここで重要な点は、螺旋が前後にかぶることで螺旋間に溝６が形成されていること、すなわち螺旋が１巻き以上（できれば１．２巻き以上）形成されていることである。
【００２９】
第一内接スクリュー４の巻き方向は、後方（投入口２４側）から前方（排出口２３側）に向かって反時計回りに螺旋を形成している。別の言い方をすると、反時計回りに回りながら後方から前方に進む螺旋である。
以下、時計回りと反時計回りは後方から前方を見た場合の回転方向を示す。
【００３０】
ストッパー５は、筒体３の内面から第一内接スクリュー４と略等しい径方向高さで立設され、第一内接スクリュー４の前部と第一内接スクリュー４の前部から略一巻き分後方の部位との間に形成されてなる溝６を閉じる。
より詳細には、ストッパー５の前端は第一内接スクリュー４の前端に接して、ストッパー５と第一内接スクリュー４の前部のなす角は鈍角となっている。
このような閉スクリュー４０が前後方向に間をおいて等間隔で多段状（ここでは四段）に設けられ、筒体３内部を連通した複数の加熱室２５，２６，２７，２８に分けている。そして、その複数の閉スクリュー４０の第一内接スクリュー４の巻き方向は全て同じ方向である。
【００３１】
次に、このように構成されたロータリーキルン２００の使用方法及び動作について説明する。
最初に、筒体３を非排出方向（反時計回り）に回転させながらスクリューフィーダー１１を介して被処理物１９を第一加熱室２５の中に投入する。
この反時計回りの回転では、第一内接スクリュー４が被処理物１９を後方へ押し戻し、しかもストッパー５もあるので投入された被処理物１９は閉スクリュー４０にかき上げられずに第一加熱室２５に溜まっていく。
さらに筒体３の回転を続けつつ被処理物１９を投入し続けて、第一加熱室２５いっぱいに溜まった被処理物１９をスクリュー口３０から第二加熱室２６へオーバーフローさせる。
【００３２】
さらにスクリューフィーダー１１を介した被処理物１９の投入を続けると、第二加熱室２６も充填されて、同じようにスクリュー口３０（後ろから二番目の閉スクリュー４０のスクリュー口３０）から第三加熱室２７へオーバーフローさせ、第三加熱室２７を充填する。この間、第一加熱室２５からのオーバーフローは続いている。
同様にして、第三加熱室２７から被処理物１９をオーバーフローさせて第四加熱室２８にも被処理物１９を充填する。
【００３３】
そして、第四加熱室２８からも被処理物１９がオーバーフローし、さらに排出口２３から被処理物１９が落ちそうになったとき、スクリューフィーダー１１を停止し電熱ヒーター２０を作動させる。スクリューフィーダー１１を停止しても筒体３の反時計回りの回転は続ける。筒体３の回転を続けても新たな被処理物１９がスクリューフィーダー１１から供給されないと、排出口２３から被処理物１９が落下することはほとんどない。
【００３４】
筒体３内が設定温度まで上がったら回転はそのままの非排出方向で、設定時間だけ加熱する。
この設定時間が過ぎたら、スクリューフィーダー１１を作動させて第一加熱室２５に被処理物１９を投入しながら、排出方向（時計回り）に筒体３を回転させることにより、第一加熱室２５に供給される被処理物１９と同じ量の被処理物１９が、第一加熱室２５から第二加熱室２６へ、第二加熱室２６から第三加熱室２７へ、第三加熱室２７から第四加熱室２８へ、そして第四加熱室２８から排出口２３を介して排出される。その移動時に被処理物１９は前方の加熱室にある被処理物１９と混合される。
そして、加熱時間（滞留時間）をさらに取らなければならないときには非排出方向に筒体３を回転させることで、被処理物１９を筒体３内に留めたまま熱処理を続けることができる。
【００３５】
次に、排出時、すなわち加熱室から前方隣の加熱室へ被処理物１９が移動する際の閉スクリュー４０と被処理物１９との関係について詳細に説明する。
ここでは、第一加熱室２５と第二加熱室２６とを分断している閉スクリュー４０と第一加熱室２５内の被処理物１９について説明する。他の三つの閉スクリュー４０も螺旋の向きが同様であるから、これと同様の動作である。
【００３６】
第一加熱室２５が被処理物１９で充填され、閉スクリュー４０の溝６内にも被処理物１９が入っているとき、排出方向（時計回り）に筒体３を回転させると、この溝６前端に溜まった被処理物１９はストッパー５の後面に乗るようにしてかき上げられ、さらに筒体３の回転が進むと被処理物１９はその閉スクリュー４０（第一内接スクリュー４）前端よりも前方である第二加熱室２６内に落下する。
筒体３内部（第一加熱室２５）の下部に溜まっている被処理物１９はこのとき、溜まった上部部分と下部部分がともに溝６前端にかき上げられて落下及び前方へ移動するので、上部の軽いものだけが移動するのではなく、不均一な移動にはならない。
また、第一加熱室２５にある被処理物１９は第一内接スクリュー４の溝６内を強制的に前方に移動させられてストッパー５（溝６前端）まで達し、同様にしてかき上げられて第二加熱室２６に移動する。
【００３７】
そして、加熱時間（滞留時間）を調整するために非排出方向に筒体３を回転させても、第二加熱室２６へ移動した被処理物１９は、斜めに取り付けられたストッパー５を後方へ乗り越えることができないので、第一加熱室２５へ戻ることはない。
このようにして被処理物１９が第一加熱室２５から第四加熱室２８まで混ざり合いながら、加熱、乾燥処理される。
【００３８】
なお、最初に試験として被処理物１９を各加熱室に充填しておいて、排出方向へ１回転回すと被処理物１９が排出口２３から幾ら排出されるかチェックしてその量を把握しておく。これにより、単位時間当たりの排出量を決めれば単位時間当たり何回転させればよいか決まってくる。
【００３９】
以上のように構成されたロータリーキルン２００によれば、第一内接スクリュー４とストッパー５とを有し溝６が閉じられた閉スクリュー４０を備えるので、第一内接スクリュー４で被処理物１９が堰止められ、閉スクリュー４０が無い場合と比べて被処理物１９の充填率が高くなる。本実施形態では、充填率が３０％から４０％と非常に大きく取れるようになった。
よって、装置全体がコンパクトになるので、余分なスペースを取らないだけでなく経済的でもある。
【００４０】
また、ストッパー５は、筒体３の内面から第一内接スクリュー４と略等しい径方向高さで立設され、第一内接スクリュー４の前部と第一内接スクリュー４の前部から略一巻き分後方の部位との間に形成されてなる溝６を閉じるので、筒体３を非排出回転としたときに、閉スクリュー４０の前方にある被処理物１９がストッパー５により堰止められ逆流しない。よって、処理時間を任意に設定可能であって、長時間熱処理が必要な場合は筒体３を非排出回転させることで熱処理を続けて行うことができる。
特に、ストッパー５の前端は第一内接スクリュー４の前端に接するとともに、ストッパー５と第一内接スクリュー４の前部のなす角が鈍角であるので、筒体３を非排出回転させたときに被処理物１９が閉スクリュー４０の溝６に入り込むことなく、全て堰止めることができる。
【００４１】
また、閉スクリュー４０の前端に溜まった被処理物１９が筒体３の排出回転によってかき上げられ撹拌されるので、被処理物１９を均一に熱処理することができる。
また、第一内接スクリュー４の巻き数が１．５巻きであるので、筒体３の容積に無駄が少ない。すわなち、筒体３を非排出回転させたときには閉スクリュー４０の溝６から被処理物１９が後方に排出されて被処理物１９が溝６内にほとんど無くなり、閉スクリュー４０内では熱処理を行えないので、そのスペースは無駄となるが、第一内接スクリュー４の巻き数を１．５巻きと少なくすることで、その無駄なスペースが最低限で済む。
【００４２】
さらに、閉スクリュー４０が前後方向に間をおいて多段状に設けられるので、被処理物１９に対する撹拌効果が大きく、また堰止めることができる被処理物１９の量が増えて被処理物１９の充填率が高くなる。
また、複数の閉スクリュー４０の第一内接スクリュー４の巻き方向が全て同じ方向であるので、筒体３の回転方向の違いによる被処理物１９の排出及び滞留が、閉スクリュー４０で分けられた全ての加熱室において一致する。
【００４３】
（第二実施形態）
次に図７乃至図９を参照して、本発明の第二実施形態に係るロータリーキルン２００を説明する。なお、第一実施形態と同一部分には同一符号を付した。
本実施形態の第一実施形態との違いは、後方から一番目と三番目の閉スクリュー４０が開スクリュー５０となったことであり、その他の構成要素に関しては第一実施形態と同一である。
【００４４】
その開スクリュー５０は、第一実施形態における閉スクリュー４０の第一内接スクリュー４とは逆巻になった螺旋で、これを第二内接スクリューとも呼ぶ。第二内接スクリューと第一内接スクリュー４の違いは巻き方向のみである。
そして、開スクリュー５０は閉スクリュー４０とは異なり、その前端にストッパー５を有しておらず、開スクリュー５０は第二内接スクリューのみからなる。
【００４５】
このように、本実施形態では筒体３内部に前方から開スクリュー５０、閉スクリュー４０、開スクリュー５０、閉スクリュー４０の順で配置した。
ここで、開スクリュー５０と閉スクリュー４０とは巻き方向が反対であるので、筒体３を時計回りに回転させると閉スクリュー４０に対しては第一実施形態と同様に排出回転となり、一方、開スクリュー５０に対しては非排出回転となる。当然、筒体３を反時計回りに回転させると、閉スクリュー４０に対しては非排出回転となり、開スクリュー５０に対しては排出回転となる。
【００４６】
次に、このように構成されたロータリーキルン２００の使用方法及び動作について説明する。
まず、電熱ヒーター２０で設定温度まで炉内の温度を上げておき、反時計回りに回転させながらスクリューフィーダー１１にて第一加熱室２５からオーバーフローしない程度に被処理物１９を投入する。第一加熱室２５が充填されたらそこでスクリューフィーダー１１を停止し、そのまま反時計回りに回転させながら一定時間加熱する。すなわち、第一加熱室２５に被処理物１９を滞留させたままで、第二加熱室２６には被処理物１９を移動させない。
その設定した時間が過ぎると筒体３の回転を時計回りに変えて、第一加熱室２５内の被処理物１９を第二加熱室２６に全てを移動させる。
【００４７】
ここで、第二加熱室２６と第三加熱室２７との間の開スクリュー５０は螺旋の向きが逆になっているので、第一加熱室２５から被処理物１９が排出される時計回り回転では被処理物１９は第二加熱室２６の中に留まる。
そこで再び一定時間、時計回りの回転を続けて加熱する。
【００４８】
そして、反時計回りに筒体３の回転方向を変えて、第二加熱室２６内の被処理物１９を第三加熱室２７に移動させる。
この場合も、反時計回りでは開スクリュー５０からは排出されるが閉スクリュー４０からは排出されないので、第二加熱室２６が空になるとともに第三加熱室２７が充填される。
【００４９】
同様に、一定時間加熱後に再び時計回りに回転方向を変更して、被処理物１９を第三加熱室２７から第四加熱室２８に移動させる。
そして、また回転方向を逆転させて被処理物１９を第四加熱室２８から排出する。
【００５０】
このように構成及び使用されるロータリーキルン２００では、閉スクリュー４０と開スクリュー５０とを前後方向に交互に配置したので、閉スクリュー４０と開スクリュー５０で分けられた隣り合う部屋において被処理物１９の排出と滞留が逆となる。現実の使用方法としては、第一加熱室２５と第三加熱室２７が充填されているとき第二加熱室２６と第四加熱室２８は空となり、第一加熱室２５と第三加熱室２７が空のとき第二加熱室２６と第四加熱室２８は充填される。
つまり、隣り合う部屋で被処理物１９同士が混ざり合わないので、精度の高い厳密な熱処理が可能である。
【００５１】
なお、第一、第二実施形態において、閉スクリュー４０や開スクリュー５０の数は実施形態のものに限られるものではない。
また、閉スクリュー４０の巻き方向は実施形態のものに限られるものではなく、逆巻きであってもよい。このとき、当然に排出回転と非排出回転は第一実施形態のものとは逆になる。
また、第二実施形態のように、閉スクリュー４０と開スクリュー５０を組合せて使用する場合には、閉スクリュー４０の巻き方向を逆にすると開スクリュー５０の巻き方向も閉スクリュー４０とは逆にしなければならない。
【００５２】
また、第一内接スクリュー４の巻き数は１．６巻き以下が好ましいが、これ以上であってもよい。
【００５３】
また、ストッパー５の前端は第一内接スクリュー４の前端に接するとともに、ストッパー５と第一内接スクリュー４の前部のなす角が鈍角であるとしたが、これに限られるものではない。
【符号の説明】
【００５４】
１      鋼板
２      炉本体
３      筒体
４      第一内接スクリュー
５      ストッパー
６      溝
７      かき上げ板
８      タイヤ
９      回転スプロケット
１０      駆動スプロケット
１１      スクリューフィーダー
１２      ローラーチェーン
１３      減速機（回転手段）
１４      サポート
１５      水平据え付け面
１６      架台
１７      ストッパーローラー
１８      フランジユニット
１９      被処理物
２０      電熱ヒーター
２１      受けローラー
２２      ピローブロック
２３      排出口
２４      投入口
２５      第一加熱室
２６      第二加熱室
２７      第三加熱室
２８      第四加熱室
２９      防熱壁
３０      スクリュー口
４０      閉スクリュー
５０      開スクリュー
１００      ロータリーキルン
２００      ロータリーキルン
【図１】
2016121852.tif 000003
【図２】
2016121852.tif 000004
【図３】
2016121852.tif 000005
【図４】
2016121852.tif 000006
【図５】
2016121852.tif 000007
【図６】
2016121852.tif 000008
【図７】
2016121852.tif 000009
【図８】
2016121852.tif 000010
【図９】
2016121852.tif 000011
【図１０】
2016121852.tif 000012